(57)【要約】      （修正有）【課題】より簡便に逆走および誤進入を防止することを可能とする誤進入防止装置を提供する。【解決手段】逆走および誤進入防止装置１００であって、逆走および誤進入防止の表示情報を発光して出力するディスプレイ装置４０と、ディスプレイ装置からの発光を反射させて所定の空中位置に結像させる空中結像手段３０と、を備える。【選択図】図１
2018127884.tif 000002
【特許請求の範囲】
【請求項１】
逆走および誤進入防止の表示情報を発光して出力するディスプレイ装置と、
前記ディスプレイ装置からの発光を反射させて所定の空中位置に結像させる空中結像手段と、
を備えることを特徴とする逆走および誤進入防止装置。
【請求項２】
請求項１に記載の逆走および誤進入防止装置であって、
前記空中結像手段は、道路の舗装面に対し略平行に埋設される、
ことを特徴とする逆走および誤進入防止装置。
【請求項３】
請求項１または２のいずれかに記載の逆走および誤進入防止装置であって、
前記ディスプレイ装置は、前記空中結像手段との成す角を可変に設けられており、
前記ディスプレイ装置を駆動して前記角を変化させる駆動部を備える、
ことを特徴とする逆走および誤進入防止装置。
【請求項４】
請求項１に記載の逆走および誤進入防止装置であって、
前記空中結像手段は、前記ディスプレイ装置との成す角を可変に設けられており、
前記空中結像手段を駆動して前記角を変化させる駆動部を備える、
ことを特徴とする逆走および誤進入防止装置。
【請求項５】
請求項１に記載の逆走および誤進入防止装置であって、
前記空中結像手段は、道路の舗装面に対し略垂直かつ前記道路の延伸方向に沿って設けられる、
ことを特徴とする逆走および誤進入防止装置。
【請求項６】
請求項１または５のいずれか一項に記載の逆走および誤進入防止装置であって、
前記表示情報を拡大させて透過させる透過板を備える、
ことを特徴とする逆走および誤進入防止装置。
【請求項７】
請求項１または５のいずれか一項に記載の逆走および誤進入防止装置であって、
前記表示情報を屈曲させて透過させる透過板を備える、
ことを特徴とする逆走および誤進入防止装置。
【請求項８】
地中に設けられたディスプレイ装置と、空中結像手段と、所定距離内に接近する物体の検出を行う検出装置と、を備える逆走および誤進入防止システムであって、
前記検出装置が前記物体の検出を行うと、
前記ディスプレイ装置は、逆走および誤進入防止の表示情報を発光して出力し、
前記空中結像手段は、前記ディスプレイ装置からの発光を反射させて所定の空中位置に結像させる、
ことを特徴とする逆走および誤進入防止システム。
【請求項９】
地中に設けられたディスプレイ装置と、空中結像手段と、所定距離内に接近する物体の検出を行う検出装置と、を備える逆走および誤進入防止システムによる逆走および誤進入防止方法であって、
前記検出装置が前記物体の検出を行う検出ステップと、
前記ディスプレイ装置が前記検出に応じて逆走および誤進入防止の表示情報を発光して出力する出力ステップと、
前記空中結像手段が前記ディスプレイ装置からの発光を反射させて所定の空中位置に結像させる結像ステップと、
を実施することを特徴とする逆走および誤進入防止方法。
【請求項１０】
請求項１に記載の逆走および誤進入防止装置であって、
前記空中結像手段は、再帰性反射材とハーフミラーの組合せにより空中結像を実現する光学系であり、
前記ハーフミラーは道路の舗装面に対し略平行に埋設される、
ことを特徴とする逆走および誤進入防止装置。
【請求項１１】
請求項１０に記載の逆走および誤進入防止装置であって、
前記ディスプレイ装置は、前記再帰性反射材との成す角を可変に設けられており、
前記ディスプレイ装置を駆動して該成す角を変化させる駆動部を備える、
ことを特徴とする逆走および誤進入防止装置。
【請求項１２】
請求項１０に記載の逆走および誤進入防止装置であって、
前記再帰性反射材は、前記ディスプレイ装置との成す角を可変に設けられており、
前記再帰性反射材を駆動して該成す角を変化させる駆動部を備える、
ことを特徴とする逆走および誤進入防止装置。
【請求項１３】
請求項１０に記載の逆走および誤進入防止装置であって、
前記ハーフミラーは、道路の舗装面に対し略垂直かつ道路の延伸方向に沿って設けられ、
前記再帰性反射材は、道路の舗装面に対し垂直かつ道路の延伸方向に対し垂直である、
ことを特徴とする逆走および誤進入防止装置。
【請求項１４】
請求項１０に記載の逆走および誤進入防止装置であって、
前記表示情報を拡大させて透過させる透過板を備える、
ことを特徴とする逆走および誤進入防止装置。
【請求項１５】
請求項１０に記載の逆走および誤進入防止装置であって、
前記表示情報を屈曲させて透過させる透過板を備える、
ことを特徴とする逆走および誤進入防止装置。
【請求項１６】
請求項８に記載の逆走および誤進入防止システムであって、
前記空中結像手段は、再帰性反射材とハーフミラーの組合せにより空中結像が実現される光学系である、
ことを特徴とする逆走および誤進入防止システム。
【請求項１７】
請求項９に記載の逆走および誤進入防止方法であって、
前記空中結像手段は、再帰性反射材とハーフミラーの組合せにより空中結像が実現される光学系である、
ことを特徴とする逆走および誤進入防止方法。
【請求項１８】
請求項１〜１５のいずれか一項に記載の誤進入防止装置であって、
前記ディスプレイ装置から前記空中結像手段への光路上に鏡面を備え、
前記鏡面は、前記ディスプレイ装置から発せられた光を前記空中結像手段に向けて反射する、
ことを特徴とする誤進入防止装置。
【請求項１９】
請求項１〜１５のいずれか一項に記載の誤進入防止装置であって、
前記ディスプレイ装置の表示面に、直交方向以外への透過を防止して視野角を制限する透過性のある偏光素材を用いる、
ことを特徴とする誤進入防止装置。
【発明の詳細な説明】
【技術分野】
【０００１】
本発明は、道路における逆走および誤進入防止装置、逆走および誤進入防止システムおよび逆走および誤進入防止方法に関する。
【背景技術】
【０００２】
本体外枠と、本体底板の後方に、プレート起点保持軸と主プレートの裏面に起点保持軸メタルケースを設け、プレート昇降伸縮部により、主プレートが昇降する昇降作動装置を設けた立体道路標識兼逆走防止装置の技術が、特許文献１に記載されている。
【先行技術文献】
【特許文献】
【０００３】
【特許文献１】特開２０１７−２６９６号公報
【発明の概要】
【発明が解決しようとする課題】
【０００４】
しかし、上記の技術では、プレートが昇降するものであるため、逆走防止の目的とはいえどもプレートが立っている状態になり、順走している移動体が接触してしまうおそれがある。また、夜間は視認性が低下する。本発明は、上記に鑑みてなされたものであり、より簡便に逆走および誤進入を防止することを可能とすることを目的とする。
【課題を解決するための手段】
【０００５】
例えば、本願発明にかかる逆走および誤進入防止装置は、逆走および誤進入防止の表示情報を発光して出力するディスプレイ装置と、上記ディスプレイ装置からの発光を反射させて所定の空中位置に結像させる空中結像手段と、を備えることを特徴とする。
【０００６】
また、上記の逆走および誤進入防止装置であって、上記空中結像手段は、道路の舗装面に対し略平行に埋設される、ことを特徴とするものであってもよい。
【０００７】
また、上記の逆走および誤進入防止装置であって、上記ディスプレイ装置は、上記空中結像手段との成す角を可変に設けられており、上記ディスプレイ装置を駆動して上記角を変化させる駆動部を備える、ことを特徴とするものであってもよい。
【０００８】
また、上記の逆走および誤進入防止装置であって、上記空中結像手段は、上記ディスプレイ装置との成す角を可変に設けられており、上記空中結像手段を駆動して上記角を変化させる駆動部を備える、ことを特徴とするものであってもよい。
【０００９】
また、上記の逆走および誤進入防止装置であって、上記空中結像手段は、道路の舗装面に対し略垂直かつ上記道路の延伸方向に沿って設けられる、ことを特徴とするものであってもよい。
【００１０】
また、上記の逆走および誤進入防止装置であって、上記表示情報を拡大させて透過させる透過板を備える、ことを特徴とするものであってもよい。
【００１１】
また、上記の逆走および誤進入防止装置であって、上記表示情報を屈曲させて透過させる透過板を備える、ことを特徴とするものであってもよい。
【００１２】
また例えば、本願発明に係る逆走および誤進入防止システムは、地中に設けられたディスプレイ装置と、空中結像手段と、所定距離内に接近する物体の検出を行う検出装置と、を備える逆走および誤進入防止システムであって、上記検出装置が上記物体の検出を行うと、上記ディスプレイ装置は、逆走および誤進入防止の表示情報を発光して出力し、上記空中結像手段は、上記ディスプレイ装置からの発光を反射させて所定の空中位置に結像させる、ことを特徴とする。
【００１３】
また例えば、本願発明に係る逆走および誤進入防止方法は、地中に設けられたディスプレイ装置と、空中結像手段と、所定距離内に接近する物体の検出を行う検出装置と、を備える逆走および誤進入防止システムによる逆走および誤進入防止方法であって、上記検出装置が上記物体の検出を行う検出ステップと、上記ディスプレイ装置が上記検出に応じて逆走および誤進入防止の表示情報を発光して出力する出力ステップと、上記空中結像手段が上記ディスプレイ装置からの発光を反射させて所定の空中位置に結像させる結像ステップと、を実施することを特徴とする。
【発明の効果】
【００１４】
本発明を適用することで、より簡便に逆走および誤進入を防止することが可能となる。上記した以外の課題、構成及び効果は、以下の実施形態の説明により明らかにされる。
【図面の簡単な説明】
【００１５】
【図１】第一の実施形態に係る逆走および誤進入防止システムの構造を示す図である。
【図２】第一の実施形態に係る逆走および誤進入防止システムの作用イメージを示す図である。
【図３】第二の実施形態に係る逆走および誤進入防止システムの作用イメージを示す図である。
【図４】第二の実施形態に係る逆走および誤進入防止システムの構造を示す図である。
【図５】変形例に係る逆走および誤進入防止システムの構造を示す図である。
【図６】変形例に係る逆走および誤進入防止システムの作用イメージを示す図である。
【図７】別の変形例に係る逆走および誤進入防止システムの構造を示す図である。
【図８】別の変形例に係る逆走および誤進入防止システムの作用イメージを示す図である。
【図９】さらに別の変形例に係る逆走および誤進入防止システムの構造を示す図である。
【図１０】さらに別の変形例に係る逆走および誤進入防止システムの構造を示す図である。
【発明を実施するための形態】
【００１６】
以下に、本発明の実施形態について図１〜図１０を用いて説明する。以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００１７】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１８】
さらに、以下の実施の形態において、その構成要素（要素ステップ等も含む）は、特に明示した場合および原理的に明らかに必須であると考えられる場合等を除き、必ずしも必須のものではないことは言うまでもない。
【００１９】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２０】
また、実施の形態を説明するための全図において、同一の部材には原則として同一の符号を付し、その繰り返しの説明は省略する。以下、本発明の実施例について図面を用いて説明する。
【００２１】
図１は、第一の実施形態に係る逆走および誤進入防止システムの構造を示す図である。逆走および誤進入防止システム１は、主に自動車専用道路、高速自動車道路、一般道路等の所定の許可者以外の侵入者（例えば自動車専用道路に誤進入する歩行者２００や、逆走する車両２の運転者）等に対して、適切でない移動（逆走、歩行者誤進入等）の気づきを促すシステムである。逆走および誤進入防止システム１には、逆走禁止地点あるいは進入禁止地点に設けられた逆走および誤進入防止装置１００が含まれている。
【００２２】
逆走および誤進入防止装置１００では、空隙内にディスプレイ装置４０と、空中結像板３０と、が所定の角度５０Ｂをなすよう配置されている。そして、逆走および誤進入防止装置１００は、道路７０に埋設されている。
【００２３】
ディスプレイ装置４０は、逆走および誤進入防止の表示情報（例えば、「×（バツ）」マークや、「とまれ」の文字、あるいは進入禁止を示す道路標識）を発光して出力する。例えば、ディスプレイ装置４０は、液晶ディスプレイや有機ＥＬディスプレイ装置あるいは高輝度ＬＥＤ標識である。
【００２４】
空中結像板３０は、ディスプレイ装置４０からの発光を所定の方法で反射させて所定の空中位置に実像１０を結像させる光学系を含む空中結像手段である。空中結像板３０は、道路７０の舗装面に対し略平行に埋設されるのが望ましい。また、空中結像板３０の上面には、アクリルや樹脂、強化ガラス等、光の透過性を妨げない程度に透明度のある保護面が設けられるのが望ましい。
【００２５】
このようにすることで、ディスプレイ装置４０に表示された表示内容が、歩行者２００から見ると道路７０から角度５０Ａだけ立体視される（立ち上げられて見える）。なお、本実施形態においては、空中結像板３０は、ディスプレイ装置４０との成す角度５０Ｂと等しい角度５０Ａだけ立ち上げて実像１０を結像させる。このような空中結像板３０は、例えば直交する反射面により立体像を結像する板等を用いる公知の技術で実現される。
【００２６】
空中結像板３０には、例えばエイアイプレート（登録商標）と称呼される株式会社アスカネットが製造するガラスや樹脂などで出来た特殊なパネルを用いることができる。このエイアイプレートでは、エイアイプレートを挟んで反対側の等距離の空中に実体物の実像を結像させる事ができ、一定の場所に映像モニターを設置すればそこに映し出される静止画や動画を二次元画像として結像する。また、エイアイプレートは、実体物として立体物を置くことで同様に反対側に三次元像として結像する。本実施形態においては、このように実体物の発光を受けてそのコピーを空中結像させるいわゆる受動系の空中結像を採用することで、実像１０を得る。なお、レーザー等のいわゆる能動系の空中結像は、順走する車両の視界を妨げるおそれ等があるため、適切ではない。
【００２７】
なお、逆走および誤進入防止装置１００において、ディスプレイ装置４０は、空中結像板３０との成す角度５０Ｂを可変に設けられるようにしても良い。さらに、逆走および誤進入防止装置１００は、ディスプレイ装置４０を移動させて上記角度５０Ｂを変化させるステッピングモーター等の駆動力を与える駆動部を備えるようにしてもよい。このようにすることで、角度５０Ｂを可変とすることができるため、実像１０の立ち上がる角度を調整しやすくなり、保守負荷を大幅に抑えることができる。
【００２８】
また、逆走および誤進入防止装置１００において、空中結像板３０は、ディスプレイ装置４０との成す角度５０Ｂを可変に設けられるようにしても良い。さらに、逆走および誤進入防止装置１００は、空中結像板３０を移動させて上記角度５０Ｂを変化させるステッピングモーター等の駆動力を与える駆動部を備えるようにしてもよい。このようにすることで、角度５０Ｂを可変とすることができるため、実像１０の立ち上がる角度を調整しやすくなり、保守負荷を大幅に抑えることができる。また、一般的にはディスプレイ装置４０よりも空中結像板３０の方が質量において小さいため、移動させるための駆動部をより簡易なものとすることができる。
【００２９】
以上が、第一の実施形態に係る逆走および誤進入防止システム１である。逆走および誤進入防止システム１によれば、歩行者２００や逆走する車両２の運転者が逆走および誤進入防止システム１により出力される発光する立体の実像１０を視認することができるため、夜間等の視界が確保しづらい状況であっても見やすく、逆走および誤進入防止の注意を効率的に喚起することができる。また、実像１０は逆側（図１の右側）からは視認し得ない（視野角の範囲外となる）ため、順走の車両の運転者は実像１０の存在は意識しなくて済み、実像１０と接触しても物理的接触は発生しない。
【００３０】
図２は、第一の実施形態に係る逆走および誤進入防止システム１の作用イメージを示す図である。逆走および誤進入防止システム１を車両の逆走および誤進入防止に適用すると、逆走する車両２の運転者は、進行方向が進入禁止である場合等に、進行方向の道路上に実像１０を立体的に見ることができる。より具体的な道路状況の例を挙げると、図２に示すように、交差点の直進方向が高速道路の出口ランプ等の進入禁止方向である場合に、運転者は、直進方向の道路上に実像１０を立体的に見ることができる。そのため、運転者は、交差点において直進以外の進路をとるべきことを示す車載機の表示２１に気づきやすくなる。これは、とくに夜間走行の場合には周囲が暗い場合が多いために、実像１０が発光することでより視認性が高くなるためである。
【００３１】
図３は、第二の実施形態に係る逆走および誤進入防止システムの作用イメージを示す図である。第二の実施形態においては、逆走および誤進入防止システム１´では、逆走および誤進入防止装置１００´が路肩に設けられ、空中結像板は、道路の舗装面に対し略垂直かつ道路の延伸方向（長手方向）に沿って設けられる。そのため、実像１０´は逆走および誤進入防止装置１００´から道路上に水平方向に張り出す（結像される）。これにより、運転者は視線の高さにより近い高さで実像１０´を視認することが可能となる。また、逆走および誤進入防止装置１００´の配置時にも、道路７０への埋設が不要となるため敷設工事を簡便にできる。
【００３２】
図４は、第二の実施形態に係る逆走および誤進入防止システムの構造を示す図である。図４では逆走および誤進入防止装置１００´の内部を上空から透視した図と、逆走および誤進入防止装置１００´の側面を道路側から見た図と、が連接して示されている。
【００３３】
逆走および誤進入防止装置１００´の側面には、一つ又は複数の空中結像板３０´Ａ〜３０´Ｃの主面が道路７０に対して垂直かつ道路の延伸方向に継ぎ目なく並べて設けられる。なお、本図においては、空中結像板は３枚の例が示されているが、これに限られず、出力させたい実像１０´の大きさ等に応じて適宜枚数が増減されることは言うまでもない。
【００３４】
逆走および誤進入防止装置１００´の内部には、水平面上の直交する二軸方向に自由移動可能な台座４１と、主表示面を道路方向に所定の角度で傾けて台座４１上に配されたディスプレイ装置４０´と、電源および表示情報をディスプレイ装置４０´に供給する制御部１１０と、が含まれる。また、水平面上の直交する二軸方向に台座４１を摺動させるためのガイドレールとして、それぞれ第一の軸方向にガイドレール１２０Ａ、１２０Ｂ、第二の軸方向にガイドレール１３０Ａ、１３０Ｂが設けられる。なお、ディスプレイ装置４０´自身も、ヒンジ等を介して台座４１に設けられ、仰角１０度程度、左右振れ角４５度程度に台座４１上で回頭可能である。また、この回頭動作および摺動動作は、アクチュエータ等の駆動部により駆動されるものであってもよい。
【００３５】
このような逆走および誤進入防止装置１００´を用いることで、第二の実施形態に係る逆走および誤進入防止システム１´は実現可能である。また、実像１０´の表示角度、表示する大きさ等はディスプレイ装置４０´の回頭動作および摺動動作、および空中結像板３０´Ａ〜３０´Ｃの配置や大きさにより調整される。
【００３６】
以上が、第二の実施形態に係る逆走および誤進入防止システム１´である。第二の実施形態によれば、運転者は視線の高さにより近い高さで実像１０´を視認することが可能となる。また、逆走および誤進入防止装置１００´の配置時にも、道路７０への埋設が不要となるため敷設工事を簡便にできる。
【００３７】
図５は、変形例に係る逆走および誤進入防止システムの構造を示す図である。図５には、第一の実施形態に係る逆走および誤進入防止システム１の変形例として、空中結像板３０に重ねて、表示情報を拡大させて透過させる透過板３１０が設けられた逆走および誤進入防止システム３００が示されている。このような変形例では、ディスプレイ装置４０からの発光は、空中結像板３０および透過板３１０を透過して実像３２０を形成する。透過板３１０を透過する際に像が拡大されるため、ディスプレイ装置４０よりも大きな実像３２０を得ることができる。
【００３８】
なお、この場合であっても、実像の立ち上がる角度５０Ａは、ディスプレイ装置４０と空中結像板３０との成す角度５０Ｂと同じである。また、図５においては、透過板３１０は、空中結像板３０の上に重ねられているが、これに限られるものではなく、空中結像板３０の下、ディスプレイ装置４０との間に設けられるものであってもよい。
【００３９】
図６は、変形例に係る逆走および誤進入防止システムの作用イメージを示す図である。逆走および誤進入防止システム３００を車両の逆走および誤進入防止に適用すると、逆走する車両２の運転者は、進行方向が進入禁止である場合等に、進行方向の道路上に大きく実像を立体的に見ることができる。より具体的な道路状況の例を挙げると、図６に示すように、交差点の直進方向が高速道路の出口ランプ等の進入禁止方向である場合に、運転者は、直進方向の道路上に大きく実像４２０を立体的に見ることができる。そのため、運転者は、交差点において直進以外の進路をとるべきことを示す車載機の表示２１に、より気づきやすくなる。これは、とくに夜間走行の場合には周囲が暗い場合が多いために、実像４２０が大きく発光することでより視認性が高くなるためである。
【００４０】
図７は、別の変形例に係る逆走および誤進入防止システムの構造を示す図である。図７には、第一の実施形態に係る逆走および誤進入防止システム１の別の変形例として、空中結像板３０に重ねて、表示情報を屈曲させて透過させる透過板５１０が設けられた逆走および誤進入防止システム５００が示されている。このような変形例では、ディスプレイ装置４０からの発光は、空中結像板３０および透過板５１０を透過して実像５２０を形成する。透過板５１０を透過する際に像が屈曲されるため、ディスプレイ装置４０が空中結像板３０と成す角度５０Ｂよりも大きい角度５３０で立ち上がる実像５２０を得ることができる。
【００４１】
また、図７においては、透過板５１０は、空中結像板３０の上に重ねられているが、これに限られるものではなく、空中結像板３０の下、ディスプレイ装置４０との間に設けられるものであってもよい。
【００４２】
図８は、変形例に係る逆走および誤進入防止システムの作用イメージを示す図である。逆走および誤進入防止システム５００を車両の逆走および誤進入防止に適用すると、車両２よりも交差点から離れた位置にある車両の運転者であっても、進行方向が進入禁止である場合等に、進行方向の道路上に、より正面に明確に立ち上がる実像を立体的に見ることができる。より具体的な道路状況の例を挙げると、図８に示すように、車両２よりも交差点から離れた位置にある車両６０２の運転者であっても、交差点の直進方向が高速道路の出口ランプ等の進入禁止方向である場合に、運転者は、直進方向の道路上に、より正面に明確に立ち上がる実像６２０を立体的に見ることができる。そのため、運転者は、交差点において直進以外の進路をとるべきことを示す車載機の表示２１に、より早い段階で気づきやすくなる。これは、とくに夜間走行の場合には周囲が暗い場合が多いために、実像６２０が遠くから見えるように発光することでより視認性が高くなるためである。
【００４３】
以上、複数の実施形態に係る逆走および誤進入防止システムについて説明した。しかし、この実施形態に限らず、各種の変形がなされるものであってもよい。例えば、本願の第一の実施形態に係る逆走および誤進入防止システムについて、逆走および誤進入防止を通知したい位置から所定距離内に接近する物体の検出を行う赤外線や可視光線の映像を用いた検出装置を備え、検出装置が物体の検出を行うと、ディスプレイ装置が、逆走および誤進入防止の表示情報を発光して出力し、空中結像板は、ディスプレイ装置からの発光を所定の方法で反射させて所定の空中位置に結像させるようにしてもよい。このようにすることで、ディスプレイ装置の消費電力を抑え、ディスプレイ装置の劣化を抑えることができる。
【００４４】
また例えば、上記と同様に、逆走および誤進入防止を通知したい位置から所定距離内に接近する物体の検出を行う赤外線や可視光線の映像を用いた検出装置を備え、検出装置が物体の検出を行うと、当該検出された物体が歩行者であるか車両であるか判定し、ディスプレイ装置が、逆走および誤進入防止の表示情報を歩行者あるいは車両の別に応じて大きさや角度を特定して、発光して出力し、空中結像板は、ディスプレイ装置からの発光を所定の方法で反射させて所定の空中位置に結像させるようにしてもよい。このようにすることで、歩行者の場合には過剰な表示を抑える等の対策を行うことができる。
【００４５】
また例えば、上記実施形態における逆走および誤進入防止システムでは、空中結像させる方法として、空中結像板３０を用いているが、これに限られない。例えば、図９に示すように、再帰性反射材７２０とハーフミラー７１０とを組み合わせて、空中結像を実現するものであってもよい。図９は、第一の実施形態と第二の実施形態およびそれらの変形例について、さらに別の変形例に係る逆走および誤進入防止装置および逆走および誤進入防止システムの構造を示す図である。より具体的には、高輝度ＬＥＤ標識等の十分な光量を放出するディスプレイ装置４０からの発光を、ハーフミラー７１０により分光させ、再帰性反射材７２０に反射させて再度当該ハーフミラー７１０を透過させることで、ハーフミラー７１０に対して所定の角度を持たせて実像７３０を空中結像させるものであってもよい。このようにすることで、空中結像に大きな影響を与える素材である回帰性反射材７２０が外部環境により露出しにくいことで風化・劣化からの保護を実現することができる。なお、ハーフミラー７１０の透過による光量の減衰については、ディスプレイ装置４０に高輝度ＬＥＤ標識を用いることで視認に十分な程度の光量の確保ができるため、問題とならない。
【００４６】
また、上記の逆走および誤進入防止装置においては、空中結像板３０は、再帰性反射材７２０とハーフミラー７１０の組合せにより空中結像が実現される空中結像手段であって、ハーフミラー７１０は道路の舗装面に対し略平行に埋設されるのが望ましい。
【００４７】
また、上記の逆走および誤進入防止装置においては、ディスプレイ装置４０は、再帰性反射材７２０との成す角を可変に設けられており、ディスプレイ装置４０を駆動して当該成す角を変化させる駆動部を備えるものであってもよい。
【００４８】
また、上記の逆走および誤進入防止装置においては、再帰性反射材７２０は、ディスプレイ装置との成す角を可変に設けられており、再帰性反射材７２０を駆動して当該成す角を変化させる駆動部を備えるものであってもよい。
【００４９】
また、上記の逆走および誤進入防止装置においては、ハーフミラー７１０は、道路の舗装面に対し略垂直かつ道路の延伸方向に沿って設けられ、再帰性反射材７２０は、道路の舗装面に対し垂直かつ道路の延伸方向に対し垂直であるのが望ましい。
【００５０】
また、上記の逆走および誤進入防止装置においては、表示情報を拡大させて透過させる透過板を備えるものであってもよい。
【００５１】
また、上記の逆走および誤進入防止装置においては、表示情報を屈曲させて透過させる透過板を備えるものであってもよい。
【００５２】
また、上記の逆走および誤進入防止システムは、地中に設けられたディスプレイ装置４０と、空中結像手段と、所定距離内に接近する物体の検出を行う検出装置と、を備える逆走および誤進入防止システムであってもよい。当該システムでは、検出装置が物体の検出を行うと、ディスプレイ装置４０は、逆走および誤進入防止の表示情報を発光して出力し、空中結像手段であるところのハーフミラー７１０および再帰性反射材７２０からなる光学系は、ディスプレイ装置４０からの発光を反射させて所定の空中位置に結像させるものとすることができる。
【００５３】
また、上記の逆走および誤進入防止方法は、地中に設けられたディスプレイ装置４０と、空中結像手段と、所定距離内に接近する物体の検出を行う検出装置と、を備える逆走および誤進入防止システムによる逆走および誤進入防止方法であってもよい。当該方法では、検出装置が物体の検出を行う検出ステップと、ディスプレイ装置４０が検出に応じて逆走および誤進入防止の表示情報を発光して出力する出力ステップと、空中結像手段であるところのハーフミラー７１０および再帰性反射材７２０からなる光学系がディスプレイ装置４０からの発光を反射させて所定の空中位置に結像させる結像ステップと、を実施するものとすることができる。
【００５４】
図１０は、さらに別の変形例に係る逆走および誤進入防止システムの構造を示す図である。図１０では、基本的に第一の実施形態に係る逆走および誤進入防止システムの構造と同様の構造であるが、一部において差異がある。以下、当該差異を中心に説明する。
【００５５】
逆走および誤進入防止装置１００Ｆでは、空隙内にディスプレイ装置４０と、空中結像板３０と、が設けられており、道路７０に埋設されている。空隙の底面を構成する平面の一部である表面７０Ａは、ディスプレイ装置４０の発光を空中結像板３０に投影させる程度の反射率を有する鏡、ガラスあるいは樹脂の壁である。あるいは、表面７０Ａは、鏡面を有する壁であってもよい。なお、表面７０Ａは、水平に限られるものではなく、道路７０の舗装面と平行であることが望ましい。
【００５６】
ディスプレイ装置４０は、表面７０Ａとの間で、所定の角度５０Ａと同じ角度５０Ｃをなすよう表面７０Ａに向けて下向きに配置されている。これにより、ディスプレイ装置４０の表示内容は、一度表面７０Ａにおいて反射する。そして、鏡像が空中結像板３０に投射され、空中結像板３０を挟んで反対側の空中に実像が結像される。
【００５７】
このようにディスプレイ装置４０と表面７０Ａとの位置関係を整えることで、配置スペースの自由度が向上する。すなわち、ディスプレイ装置４０から空中結像板３０への光路上に鏡面を備えることで、鏡面である表面７０Ａは、ディスプレイ装置４０から発せられた光を空中結像板３０に向けて反射することができ、逆走防止装置１００Ｆの形状の自由度が増す。
【００５８】
また、図示しないが、例えば、第一の実施形態に係る逆走および誤進入防止システムにおいて、ディスプレイ装置４０の表示面に、直交方向以外への透過を防止して視野角を制限する透過性のある偏光素材を用いて、外乱によるコントラスト低下等の影響を防ぐようにしてもよい。そのような偏光素材は、ディスプレイ装置４０自体の表面素材であってもよいし、表面を覆うシート等であってもよい。このようにすることで、より実像の視認性が高くなり、運転者の注意を促しやすくすることができる。
【００５９】
なお、上記実施形態における逆走および誤進入防止システムは、システムとして取引対象とするだけでなく、逆走および誤進入防止装置単体で取引対象とすることも可能である。
【符号の説明】
【００６０】
１、１´、３００、４００、５００、６００・・・逆走および誤進入防止システム、２、６０２・・・車両、１０、１０´、３２０、４２０、５２０、６２０・・・実像、２１・・・車載機の表示、３０、３０´Ａ、３０´Ｂ、３０´Ｃ・・・空中結像板、４０、４０´・・・ディスプレイ装置、４１・・・台座、５０Ａ、５０Ｂ、５０Ｃ・・・角度、７０・・・道路、７０Ａ・・・表面、１００、１００´、１００Ｆ・・・逆走および誤進入防止装置、１１０・・・制御部、１２０Ａ、１２０Ｂ・・・ガイドレール、１３０Ａ、１３０Ｂ・・・ガイドレール、２００・・・歩行者、３１０、５１０・・・透過板、５３０・・・角度
【図１】
2018127884.tif 000003
【図２】
2018127884.tif 000004
【図３】
2018127884.tif 000005
【図４】
2018127884.tif 000006
【図５】
2018127884.tif 000007
【図６】
2018127884.tif 000008
【図７】
2018127884.tif 000009
【図８】
2018127884.tif 000010
【図９】
2018127884.tif 000011
【図１０】
2018127884.tif 000012